【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
プロセッサを備える、パノラマ的な視覚化文書差分システムのための装置であって、
前記プロセッサは、当該装置に、少なくとも
複数の文書コンポーネントのうち２以上のソースとなる文書コンポーネントの比較に基づき、比較文書コンポーネントを生成させ、
各文書コンポーネントは、それぞれのメディアコンテンツを含み、かつ前記文書コンポーネントについて構造化された情報を提供する関連メタデータを有するものであり、
前記比較文書コンポーネントは、メディアコンテンツを含み、かつ前記２以上のソースとなる文書コンポーネントについて構造化された情報を提供する関連メタデータを有するものであり、
前記比較文書コンポーネントの関連メタデータを解釈させ、複数のレイアウトモデルから１つのレイアウトモデルを選択させるとともに、前記複数の文書コンポーネントのうち１以上の第二の文書コンポーネントを特定させ、
それに応じて、前記比較文書コンポーネントの関連メタデータにより提供される前記構造化された情報は、前記比較文書コンポーネントと１以上の第二の文書コンポーネントとの間のリンクをさらに特定するものであり、
パノラマ的に配置された、前記比較文書コンポーネントと前記１以上の第二の文書コンポーネントを含む文書コンポーネントの画像のレイアウトを、それらの関連メタデータに従って、かつ、前記選択されたレイアウトモデルに応じて、生成させ、
前記文書コンポーネントの画像は、それらの前記それぞれのメディアコンテンツの画像を含む、
装置。
【請求項２】
前記２以上のソースとなる文書コンポーネントは、第一のソースとなる文書コンポーネントと１以上の第二のソースとなる文書コンポーネントとを含み、
前記比較文書コンポーネントは、前記第一のソースとなる文書コンポーネントのそれぞれのメディアコンテンツの、前記１以上の第二のソースとなる文書コンポーネントのそれぞれのメディアコンテンツ上へのオーバーレイを含む、請求項１に記載の装置。
【請求項３】
前記第一のソースとなる文書コンポーネントは、複数であることを含み、
前記第二のソースとなる文書コンポーネントは、複数であることを含み、
前記比較文書コンポーネントを生成させることは、各比較文書コンポーネントが、前記複数の第一のソースとなる文書コンポーネントの中のそれぞれ１つの第一のソースとなる文書コンポーネントと、前記複数の第二のソースとなる文書コンポーネントの中のそれぞれ１以上の第二のソースとなる文書コンポーネントとの比較に基づいている、複数の比較文書コンポーネントを生成させることを含み、
前記レイアウトを生成させることは、複数の比較文書コンポーネントの画像を含むレイアウトを生成させることを含む、請求項２に記載の装置。
【請求項４】
前記レイアウトの少なくともいくつかの前記文書コンポーネントのうち各文書コンポーネントについて、前記文書コンポーネントの画像の複数のコピーがそれぞれの解像度で保存され、
前記構造化された情報は、前記レイアウト中の前記文書コンポーネントの画像の少なくともサイズを特定し、かつ
前記レイアウトを生成させることは、前記複数のコピーのうち前記構造化された情報により特定されるサイズと整合する解像度におけるコピーを検索させることを含む、請求項１に記載の装置。
【請求項５】
前記レイアウトの少なくともいくつかの前記文書コンポーネントのうち各文書コンポーネントについて、前記文書コンポーネントの画像の複数のコピーが、ズームレベル全域で、各々が前記ズームレベルのうちそれぞれのズームレベルで画像の空間エリアを覆う、漸進的に多数になるタイルに分割され、かつ
前記コピーを検索させることは、前記構造化された情報により特定されるサイズと整合する解像度におけるコピーのタイルを検索させることを含む、請求項４に記載の装置。
【請求項６】
複数の文書コンポーネントのうち、２以上のソースとなる文書コンポーネントの比較に基づき、比較文書コンポーネントを生成し、
各文書コンポーネントは、それぞれのメディアコンテンツを含み、かつ前記文書コンポーネントについて構造化された情報を提供する関連メタデータを有するものであり、
前記比較文書コンポーネントは、メディアコンテンツを含み、かつ前記２以上のソースとなる文書コンポーネントについて構造化された情報を提供する関連メタデータを有するものであり、
前記比較文書コンポーネントの関連メタデータを解釈し、複数のレイアウトモデルから１つのレイアウトモデルを選択するとともに、前記複数の文書コンポーネントのうち１以上の第二の文書コンポーネントを特定し、
それに応じて、前記比較文書コンポーネントの関連メタデータにより提供される前記構造化された情報は、前記比較文書コンポーネントと１以上の第二の文書コンポーネントとの間のリンクをさらに特定するものであり、
パノラマ的に配置された、前記比較文書コンポーネントと前記１以上の第二の文書コンポーネントを含む文書コンポーネントの画像のレイアウトを、それらの関連メタデータに従って、かつ、前記選択されたレイアウトモデルに応じて、生成し、
前記文書コンポーネントの画像は、それらの前記それぞれのメディアコンテンツの画像を含むものである、
ことを含む方法。
【請求項７】
前記２以上のソースとなる文書コンポーネントは、第一のソースとなる文書コンポーネントと１以上の第二のソースとなる文書コンポーネントとを含み、
前記比較文書コンポーネントを生成することは、前記第一のソースとなる文書コンポーネントのそれぞれのメディアコンテンツの、前記１以上の第二のソースとなる文書コンポーネントのそれぞれのメディアコンテンツ上へのオーバーレイを含む比較文書コンポーネントを生成することを含む、請求項６に記載の方法。
【請求項８】
前記第一のソースとなる文書コンポーネントは、複数であることを含み、
前記第二のソースとなる文書コンポーネントは、複数であることを含み、
前記比較文書コンポーネントを生成することは、各比較文書コンポーネントが、前記複数の第一のソースとなる文書コンポーネントの中のそれぞれ１つの第一のソースとなる文書コンポーネントと、前記複数の第二のソースとなる文書コンポーネントの中のそれぞれ１以上の第二のソースとなる文書コンポーネントとの比較に基づいている、複数の比較文書コンポーネントを生成することを含み、
前記レイアウトを生成することは、複数の比較文書コンポーネントの画像を含むレイアウトを生成することを含む、請求項７に記載の方法。
【請求項９】
前記レイアウトの少なくともいくつかの前記文書コンポーネントのうち各文書コンポーネントについて、前記文書コンポーネントの画像の複数のコピーがそれぞれの解像度で保存され、
前記構造化された情報は、前記レイアウト中の前記文書コンポーネントの画像の少なくともサイズを特定し、かつ
前記レイアウトを生成することは、前記複数のコピーのうち前記構造化された情報により特定されるサイズと整合する解像度におけるコピーを検索することを含む、請求項６に記載の方法。
【請求項１０】
前記レイアウトの少なくともいくつかの前記文書コンポーネントのうち各文書コンポーネントについて、前記文書コンポーネントの画像の複数のコピーが、ズームレベル全域で、各々が前記ズームレベルのうちそれぞれのズームレベルで画像の空間エリアを覆う、漸進的に多数になるタイルに分割され、かつ
前記コピーを検索することは、前記構造化された情報により特定されるサイズと整合する解像度におけるコピーのタイルを検索することを含む、請求項９に記載の方法。
【請求項１１】
内部に記憶されたコンピュータ可読プログラムコード部分を有するコンピュータ可読記憶媒体であって、プロセッサによる実行に応じて、装置に少なくとも
複数の文書コンポーネントのうち、２以上のソースとなる文書コンポーネントの比較に基づき、比較文書コンポーネントを生成させ、
各文書コンポーネントは、それぞれのメディアコンテンツを含み、かつ前記文書コンポーネントについて構造化された情報を提供する関連メタデータを有するものであり、
前記比較文書コンポーネントは、メディアコンテンツを含み、かつ前記２以上のソースとなる文書コンポーネントについて構造化された情報を提供する関連メタデータを有するものであり、
前記比較文書コンポーネントの関連メタデータを解釈させ、複数のレイアウトモデルから１つのレイアウトモデルを選択させるとともに、前記複数の文書コンポーネントのうち１以上の第二の文書コンポーネントを特定させ、
それに応じて、前記比較文書コンポーネントの関連メタデータにより提供される前記構造化された情報は、前記比較文書コンポーネントと１以上の第二の文書コンポーネントとの間のリンクをさらに特定するものであり、
パノラマ的に配置された、前記比較文書コンポーネントと前記１以上の第二の文書コンポーネントを含む文書コンポーネントの画像のレイアウトを、それらの関連メタデータに従って、かつ、前記選択されたレイアウトモデルに応じて、生成させ、
前記文書コンポーネントの画像は、それらの前記それぞれのメディアコンテンツの画像を含むものである、
コンピュータ可読記憶媒体。